(57)【要約】      （修正有）【課題】カメラなどの撮像装置で例えばシャッタ羽根を高速に開閉動作させることが出来、その為の構造が小型で消費電力も小さい光量調節装置を提供する。【解決手段】光量調節羽根は第１の伝動部材と第２の伝動部材のいずれか一方に回動自在に軸支され、他方にピン−スリット結合によって連結する。また、前記ピンースリット結合は、前記伝動部材に設けられた作動ピンと前記光量調節羽根に設けられたスリット孔とを互いに嵌合する。更に、前記第１の伝動部材を前記ロータと一体に構成すると共に、該ロータの回転軸を中心に揺動自在の（第１）作動ピンを設け、この第１作動ピンと係合するスリット孔を前記第２の伝動部材に設けてロータの運動を第１伝動部材を介して第２伝動部材に伝達する。【選択図】図３
2005316273.tif 000002
【特許請求の範囲】
【請求項１】
露光開口を有する基板と、
上記基板に配置され、上記露出開口を開閉規制する光量調節羽根と、
回転軸を有するロータと、
上記ロータを駆動回転する励磁コイルと、
上記ロータの回転を上記光量調節羽根に伝達する伝動手段とを備え、
上記伝動手段は、上記ロータの回転軸に連結され該回転軸を中心に揺動する第１の伝動部材と、この第１の伝動部材に連結され上記回転軸と異なる支軸を中心に揺動する第２の伝動部材とから構成され、
上記光量調節羽根は、上記第１の伝動部材と第２の伝動部材のいずれか一方に回動自在に軸支され、他方にピン−スリット結合によって連結されていることを特徴とする光量調節装置。
【請求項２】
前記ピン−スリット結合は、前記伝動部材に設けられた作動ピンと前記光量調節羽根に設けられたスリット孔とを互いに嵌合して構成されていることを特徴とする請求項１記載の光量調節装置。
【請求項３】
前記第１の伝動部材は前記ロータと一体に構成され、該ロータの回転軸を中心に揺動自在の作動ピンを備え、
前記第２の伝動部材は前記基板に回動自在に支持され、上記作動ピンと係合するスリット孔を備えていることを特徴とする請求項１又は２記載の光量調節装置。
【請求項４】
露光開口を有する基板と、
上記基板に配置され、上記露出開口を開閉規制する１枚の羽根部材と、
回転軸を有するロータと、
上記ロータを駆動回転する励磁コイルと、
上記ロータの回転を上記光量調節羽根に伝達する伝動手段とを備え、
上記伝動手段は、互いに距離を隔てて異なる回転軸を有する第１、第２の伝動部材で構成され、この第１の伝動部材は、上記ロータの回転軸を中心に揺動する第１の作動ピンを有し、
上記第２の伝動部材は、上記第１の作動ピンと係合するスリット孔と上記ロータの回転軸とは異なる回転軸を中心に揺動する第２の作動ピンとを有し、
上記羽根部材は上記第１の作動ピンと係合するスリット孔を有し、上記第２の作動ピンに回動自在に軸承されていることを特徴とする光量調節装置。
【請求項５】
撮影光を撮像手段に結像する撮影レンズと、
上記撮像手段に至る光路中に配置され露光開口を有する基板と、
上記基板に配置され、上記露出開口を開閉規制する光量調節羽根と、
回転軸を有するロータと、
上記ロータを駆動回転する励磁コイルと、
上記ロータの回転を上記光量調節羽根に伝達する伝動手段とを備え、
上記伝動手段は、上記ロータの回転軸に連結され該回転軸を中心に揺動する第１の伝動部材と、
この第１の伝動部材に連結され上記回転軸と異なる支軸を中心に揺動する第２の伝動部材とから構成され、
上記光量調節羽根は、上記第１の伝動部材と第２の伝動部材のいずれか一方に回動自在に軸支され、他方にピン−スリット結合によって連結されていることを特徴とする撮像装置。
【発明の詳細な説明】
【技術分野】
【０００１】
本発明は、デジタルカメラ、デジタル双眼鏡等の撮像装置に組込まれ撮像光量を調節するために高速開閉駆動するシャッタ装置、絞り装置等の光量調節装置及びこれを用いた撮像装置に関するものである。
【背景技術】
【０００２】
一般にカメラ装置などの撮像光量を開閉制御するシャッタ、或いは光量を大小調節する絞りなどの光量調節装置は被写体からの光路中に羽根部材を配置して撮影光を遮断若しくは開口径を大小調節するものとして広く知られている。
【０００３】
従来かゝる羽根部材は露光開口を有する基板に取付けられ、この開口を開閉規制或いは開口径を大小規制するように駆動装置に連結されている。そして羽根部材は薄い金属板或いは樹脂フィルムで形成され、基板に形成した露光開口の周縁に回動自在に軸支されるか若しくは摺動自在にガイド部材に支持されている。
【０００４】
例えば、特許文献１には露光開口を遮蔽するシャッタ羽根と開口径を規制する絞り羽根をそれぞれ回動自在に取付ける構造が開示されている。この特許文献１に知られる光量調節装置を図６に基づいて説明すると、シャッタ羽根は図示羽根１２１と１２２の２枚の羽根（以下光量調節羽根と云う）で構成され互いに相反方向に旋回するようになっている。この光量調節羽根１２１、１２２はそれぞれ回転軸１２１ａ、１２２ａを中心に回動するように支持され、光量調節羽根１２１に形成された長穴部１２１ｂ、及び、もう一方の光量調節羽根１２２に形成された長穴部１２２ｂには駆動モータ１０５の作動ピン１０５ｂが係合している。
【０００５】
また、駆動モータ１０５の作動ピン１０５ｂがモータ軸中心１０５ａを中心に反時計方向に回動する。これにより、光量調節羽根１２１は回転軸１２１ａを中心に反時計方向に旋回すると共に、もう一方の光量調節羽根１２２は回転軸１２２ａを中心に時計方向に旋回し、一対の光量調節羽根１２１、１２２が開放状態から閉鎖状態になり、地板１００に形成された開放口径１０４が閉じられる。また、駆動モータ１０５の作動ピン１０５ｂがモータ軸中心１０５ａを中心に時計方向に回動すると、一対の光量調節羽根１２１、１２２が閉じ状態から開状態に旋回して、開放口径１０４が全開される。この場合、駆動モータ１０５の作動ピン１０５ｂとそのモータ軸中心１０５ａの間隔と、一対の光量調節羽根１２１、１２２の長穴部１２１ｂ、１２２ｂと回転軸１２１ａ、１２２ａのそれぞれの間隔とはほぼ等間隔であるから、駆動モータ１０５の作動ピン１０５ｂがモータ軸中心１０５ａを中心に回動した角度と略同一の角度だけ一対の光量調節羽根１２１、１２２が相反方向に旋回するこことなる。
【０００６】
上述の特許文献１と同様の光量調節装置として、例えば特許文献２が知られている。図７に基づいてこれを説明すると、シャッタ羽根は一対の羽根部材で構成されている。この光量調節羽根２１０、２２０は、それぞれ地板２００の支点軸２００ａに嵌合した回転孔２１０ａ、２２０ａを中心に開閉回動が可能であり、光量調節羽根２１０に形成された長穴部２１０ｂ、及び、もう一方の光量調節羽根２２０に形成された長穴部２２０ｂには駆動モータ２０５の作動ピン２０５ｂが係合している。
【０００７】
また、駆動モータ２０５の作動ピン２０５ｂがモータ軸中心２０５ａを中心に時計方向に回動する。これにより、光量調節羽根２１０は地板２００の支点軸２００ａに嵌合した回転孔２１０ａを中心に時計方向に旋回するとともに、もう一方の光量調節羽根２２０は地板２００の支点軸２００ａに嵌合した回転孔２２０ａを中心に反時計方向に旋回し、一対の光量調節羽根２１０、２２０が開放状態から閉鎖状態になり、地板２００に形成された開放口径２０４が閉じられる。また、駆動モータ２０５の作動ピン２０５ｂがモータ軸中心２０５ａを中心に時計方向に回動すると、一対の光量調節羽根２１０、２２０が閉状態から開状態に旋回して、開放口径２０４が全開される。
【０００８】
この場合、上記の特許文献１との違いは、一対の光量調節羽根２１０、２２０を同一の地板２００の支点軸２００ａを中心に回転可能に支持するとともに、この支点軸２００ａを駆動モータ２０５から一対の光量調節羽根２１０、２２０に駆動ピン２０５ｂが嵌合する連結部よりも光軸に近い位置に配置している点である。これにより駆動モータ２０５の駆動ピン２０５ｂの回転角が増幅され、一対の光量調節羽根２１０、２２０を増幅回転させることで、その増幅した分だけ一対の光量調節羽根２１０、２２０は高速に移動することとなる。このように特許文献１及び特許文献２の何れの光量調節装置も駆動モータの回転軸に取付けた伝動アームと羽根部材とをピン−スリット結合によって連結していることとなる。
【０００９】
従って、羽根部材の開閉速度はモータの回転軸と羽根部材のスリット孔との距離と羽根部材の回転中心軸とスリット孔との距離及びスリット孔のカム形状によって決められることとなる。
【特許文献１】特開２００２−２８７２０７号公報
【特許文献２】特開２００１−０７５１４６号公報
【発明の開示】
【発明が解決しようとする課題】
【００１０】
カメラなどの撮像装置で例えばシャッタ羽根を高速に開閉動作させようとすると、前掲特許文献１の構造では駆動モータの駆動速度を高速にする必要があり、勢い駆動モータは大型で消費電力も大きくせざるを得ず、また前掲特許文献２のように駆動モータに連結した伝動アームで運動量を増幅させて羽根を高速に開閉する構造にあっても羽根の取付位置、伝動アームと羽根の係合位置など装置が大型となる問題があった。従って最近のデジタルカメラなど装置の小型化と同時に高速なシャッタスピードが要求される光量調節装置に上述の構造を採用すると装置は大型となり消費電力が大きくなる問題があった。
【００１１】
そこで本発明は駆動モータの回転で羽根部材を高速に開閉動作させることが出来、その為の構造が小型で消費電力も小さい光量調節装置及びこれを用いた撮像装置の提供をその主な課題としている。
【課題を解決するための手段】
【００１２】
本発明は上記課題を達成するため以下の構成を採用したものである。
まず請求項１の発明は、カメラ装置などの光路中に露出開口を有する基板を配置し、この基板に上記露出開口を開閉規制するシャッタ、絞りなどの羽根部材を配置する。そしてこの基板に回転軸を有するロータと、このロータを駆動回転する励磁コイルとを有する駆動装置を設ける。この駆動装置のロータの回転を上記光量調節羽根に伝達する伝動手段とを以下のように構成する。上記伝動手段を、上記ロータの回転軸に連結され該回転軸を中心に揺動する第１の伝動部材と、この第１の伝動部材に連結され上記回転軸と異なる支軸を中心に揺動する第２の伝動部材とから構成し、上記光量調節羽根は、上記第１の伝動部材と第２の伝動部材のいずれか一方に回動自在に軸支され、他方にピン−スリット結合によって連結する。これによって駆動装置を大型で高消費電力に構成しなくても羽根部材を高速かつ円滑に開閉動作することが可能となる。
【００１３】
また、前記ピン−スリット結合は、前記伝動部材に設けられた作動ピンと前記光量調節羽根に設けられたスリット孔とを互いに嵌合して構成することによって伝動部材と羽根の加工が容易となる。更に、前記第１の伝動部材を前記ロータと一体に構成すると共に、該ロータの回転軸を中心に揺動自在の第１の作動ピンを設け、この第１の作動ピンと係合するスリット孔を前記第２の伝動部材に設けてロータの運動を第１の伝動部材を介して第２の伝動部材に伝達することが可能で駆動伝達系を簡素化することができる。
【００１４】
次に請求項４の発明は、請求項１の発明における羽根部材を１枚の羽根で構成し、回転軸を有するロータと、上記ロータを駆動回転する励磁コイルと、上記ロータの回転を上記光量調節羽根に伝達する伝動手段とを設け、この伝動手段を以下のように構成する。互いに距離を隔てて異なる回転軸を有する第１、第２の伝動部材を設ける。例えば第１の伝動部材は前記ロータの回転軸と同一の回転軸で構成し、第２の伝動部材は距離を隔てた位置で回転可能に例えば基板に支軸を設けて支持する。そして第１の伝動部材は、上記ロータの回転軸を中心に揺動する第１の作動ピンを、上記第２の伝動部材は、上記第１の作動ピンと係合するスリット孔と上記ロータの回転軸とは異なる回転軸を中心に揺動する第２の作動ピンとを備える。上記羽根部材には上記第１の作動ピンと係合するスリット孔を設け、上記第２の作動ピンに回動自在に軸承する。この構成によって請求項１の発明と同様の結果を得ることが出来る。
【００１５】
次に請求項５の発明は、撮影光を撮像手段に結像する撮影レンズと、上記撮像手段に至る光路中に配置され露光開口を有する基板と、上記基板に配置され上記露出開口を開閉規制する光量調節羽根と、回転軸を有するロータと、上記ロータを駆動回転する励磁コイルと、上記ロータの回転を上記光量調節羽根に伝達する伝動手段とを備える。かゝる構成において、上記伝動手段を上記ロータの回転軸に連結され該回転軸を中心に揺動する第１の伝動部材と、この第１の伝動部材に連結され上記回転軸と異なる支軸を中心に揺動する第２の伝動部材とから構成し、上記光量調節羽根は上記第１の伝動部材と第２の伝動部材のいずれか一方に回動自在に軸支され、他方にピン−スリット結合によって連結することによって羽根部材の高速な運動が可能な撮像装置を提供することが出来る。
【発明の効果】
【００１６】
本発明は露光開口を備えた基板に羽根部材を開閉自在に装備するに際し、駆動ロータに連結した第１、第２の伝動部材によってロータ軸の回転量を増大させて羽根部材に伝達することにより、羽根部材を高速に開閉動作させることが可能となる。同時にその為の構造は羽根部材の回動支点となる伝動部材と羽根部材を回動する伝動部材とを同時に逆方向に移動させる為、従来の伝動部材のアーム長さを大きくする場合に比べ小型かつコンパクトに構成することが出来る。
【発明を実施するための最良の形態】
【００１７】
以下、図示の好適な実施の形態に基づいて本発明を説明する。
図１は本発明の撮像装置に組込まれる光量調節装置を示す分解斜視図、図２はその撮像装置の絞り羽根部材とシャッタ羽根部材の夫々動作状態を説明するための概略図、図３はその撮像装置のシャッタ羽根部材を閉鎖する閉鎖動作を説明するための動作状態説明図、図４は本発明の撮像装置での制御系を示すブロック図、図５は本発明の撮像装置での一駒撮影時における動作フローである。
【００１８】
まず、本発明の光量調節装置について説明すると、図１に示す装置は装置基板（以下地板という）Ｆにシャッタ羽根部材Ｅと絞り羽根部材Ｃとを組込んだユニットとして構成され、地板Ｆにはシャッタ羽根部材Ｅの駆動手段Ｈと絞り羽根部材Ｃの駆動手段Ｇが取付けられている。
【００１９】
また、図示Ｄはシャッタ羽根部材Ｅと絞り羽根部材Ｃを区割する中間板（仕切板）であり、図示Ｓはシャッタ羽根部材Ｅを高速に開閉する為のシャッタ羽根部材Ｅと駆動手段Ｈを駆動連結する連結手段であり、図示Ｂは地板Ｆにシャッタ連結手段Ｓ（後述の第２伝動レバー）、シャッタ羽根部材Ｅ、中間板（仕切板）Ｄ、絞り羽根部材Ｃの順序で積層配置した状態を保持する押さえ板である。この光量調節装置は以下の構成から成り後述する撮像装置の結像レンズ内に組込まれる。
【００２０】
そこで、地板Ｆは樹脂などのモールド成形で形成され、シャッタ羽根部材Ｅと絞り羽根部材Ｃとこの両羽根部材を開閉駆動する駆動手段Ｈ、Ｇとを取付け支持する適宜形状に構成される。地板Ｆには撮影光軸と一致する開口Ｆ０１が形成され、この開口Ｆ０１は後述の中間板Ｄ（仕切板）に形成される露出開口Ｄ０１より大きい口径にしてある。地板Ｆにはシャッタ連結手段Ｓと絞り羽根部材Ｃとを回動自在に軸支するそれぞれピン形状の絞り羽根支軸Ｆ０２と反対面にシャッタ連結手段支軸Ｆ０３が一体に形成されている。そして、この地板Ｆにはシャッタ連結手段Ｓとシャッタ羽根部材Ｅが組込まれ、次いで中間板（仕切板）Ｄが、その上に絞り羽根部材Ｃが、更にその上に押さえ板Ｂが重ね合わせて組込まれる。
【００２１】
シャッタ羽根部材Ｅは、シャッタ連結手段Ｓの支軸Ｓ０３（後述の第２の作動ピン）に回動自在に支持され地板Ｆに形成されたガイドリブＦ０６に案内されて前記開口Ｆ０１を覆う位置（閉位置、以下クローズ位置と云う）とこの開口Ｆ０１から退避した開放位置（開位置、以下オープン位置と云う）との間で移動自在に支持されることとなる。このシャッタ羽根部材Ｅには後述のシャッタ羽根駆動手段Ｈの作動ピンＨ１２が係合するスリット孔Ｆ０５が形成してあり、地板Ｆには作動ピンＨ１２を貫通するスリット孔Ｆ０５が設けてある。シャッタ羽根部材Ｅは、前レンズＡから入光し中間板（仕切板）Ｄに形成された露出開口Ｄ０１を通過しＣＣＤ等の固体撮像素子Ｊにより受光される被写体光を適宜遮断し、絞り羽根部材Ｃと共に適正露光を得るためのシャッタで、ポリエステルフィルム、テトロンフィルム等を素材に黒色顔料を塗装、蒸着したシートからなる。
【００２２】
図中、Ｅ０１は回転中心孔で、シャッタ連結手段Ｓの支軸Ｓ０３が貫通し、この支軸Ｓ０３に回転可能に軸支される。Ｅ０２は作動スリット孔で、シャッタ羽根駆動手段Ｈの作動ピンＨ１２が貫通し、回転中心孔Ｅ０１を中心にシャッタ羽根Ｅを揺動するためのものである。
【００２３】
また、地板Ｆには、開閉自在に支持したシャッタ羽根部材Ｅの運動を規制する突起から成るストッパＦ０８とＦ０９が一体に設けてあり、シャッタ羽根部材Ｅはクローズ位置でストッパＦ０９に当接し、オープン位置でストッパＦ０８に当接し、それ以上の回動を規制される。従ってこのストッパＦ０８、Ｆ０９がシャッタ羽根部材Ｅの運動を規制する規制部材となる。
【００２４】
このように地板Ｆに開閉自在に支持されたシャッタ羽根部材Ｅは中間板（仕切板）Ｄで覆われる。この中間板（仕切板）Ｄは地板Ｆに一体形成した突起Ｆ１０、Ｆ１１に支持され、地板Ｆと中間板（仕切板）Ｄとの間にはシャッタ羽根部材Ｅが回動するギャップが形成されている。上記シャッタ羽根部材Ｅは樹脂フィルムで形成され、この中間板（仕切板）Ｄも同一素材など樹脂フィルムで形成してある。この中間板（仕切板）Ｄには地板の開口Ｆ０１と一致する露出開口Ｄ０１が形成され、図示のものは４ｍｍ径に形成してある。この露出開口Ｄ０１はシャッタ羽根部材Ｅがオープン状態で最大の撮影光量を後述の撮像装置の固体撮像素子に導くこととなるがその口径を４ｍｍ以下にする。これによって太陽光などの強い光がＣＣＤなどの撮像素子に送られても焼付く恐れがない。この数値は実験によって求めた限界値である。
【００２５】
中間板（仕切板）Ｄには、絞り羽根支軸Ｆ０２が貫通する孔Ｄ０２が形成され、同様に絞り羽根駆動手段Ｇの作動ピンＧ１２が貫通するスリットＤ０４とシャッタ羽根駆動手段Ｈの作動ピンＨ１２とシャッタ連結手段Ｓの支軸Ｓ０３のそれぞれが貫通するスリットＤ０５が形成されている。尚、図示Ｄ０６は絞り羽根Ｃとシャッタ羽根Ｅが露出開口Ｄ０１から退避したときの退避エリアである。シャッタ羽根部材Ｅと絞り羽根部材Ｃとは露出開口Ｄ０１に進入した姿勢と退避エリアＤ０６に位置する姿勢とにそれぞれ露出開口Ｄ０１を挟んで直線的に対向する位置に回動中心となる絞り羽根支軸Ｆ０２とシャッタ連結手段支軸Ｆ０３が配置されている。また、図示Ｄ０７は位置決め凹溝孔で地板Ｆに形成したピンＦ１２が嵌合し、Ｄ０８は位置決め孔で地板ＦのピンＦ１３が嵌合する。
【００２６】
次に、絞り羽根部材Ｃについて説明すると、後述の撮像装置の前レンズＡから入光した被写体光が中間板（仕切板）Ｄに形成された露出開口Ｄ０１から固体撮像素子Ｊに至る光量を調節するための絞り羽根Ｃは以下のように構成する。樹脂フィルムの打抜きで形成した絞り羽根部材Ｃには前記中間板（仕切板）Ｄの露出開口Ｄ０１より小径の絞り開口Ｃ０３が設けられ、前記地板Ｆに形成された絞り羽根支軸Ｆ０２と係合する回転中心孔Ｃ０１と後述の絞り羽根駆動手段Ｇの作動ピンＧ１２と係合するスリットＣ０２が形成されている。絞り開口Ｃ０３の近辺には図２で説明するＮＤフィルタを取付ける取付基準孔Ｃ０４が設けられている。
【００２７】
次に、押さえ板Ｂについて説明すると、金属板で略地板Ｆと同一形状に形成された押さえ板Ｂは地板Ｆとの間に上述のシャッタ羽根部材Ｅと絞り羽根部材Ｃを組込んでユニットを構成している。この押さえ板Ｂには露出開口Ｄ０１と中心が一致する開口Ｂ０１が形成され、この開口Ｂ０１は露出開口Ｄ０１より大きい径に形成されている。Ｂ０２は地板Ｆに形成した絞り羽根支軸Ｆ０２と係合し、Ｂ０４は絞り羽根駆動手段Ｇの作動ピンＧ１２が運動する逃げ孔であり、Ｂ０５はシャッタ羽根駆動手段Ｈの作動ピンＨ１２とシャッタ連結手段Ｓの支軸Ｓ０３の逃げ孔である。Ｂ０７は前記ストッパＦ０８、Ｂ０８は前記ストッパＦ０９のそれぞれ逃げ孔である。
【００２８】
図中、Ｂ０９及びＢ１０は位置決め孔であり、地板Ｆに形成したピンＦ１２とＦ１３がそれぞれ係合する。これによって地板Ｆと押さえ板Ｂとは位置合わせされる。そして押さえ板Ｂには同様に適宜数図示のものは６個所にギャップ調節用の折曲部Ｂ１１が形成してあり地板Ｆと中間板（仕切板）Ｄと押さえ板Ｂとの間の隙間を形成している。また係止凹部Ｂ１２が２個所に設けてあり地板Ｆに形成した爪Ｆ１４、Ｆ１５と嵌合して地板Ｆと一体化（固定）してある。尚、図中Ｄ０８は位置決め孔で地板Ｆの中間板位置決めピンＦ１３が貫通する為の逃げ孔である。
【００２９】
絞り羽根駆動手段Ｇ、シャッタ羽根駆動手段Ｈについて説明すると、絞り羽根駆動手段Ｇは、絞り羽根部材Ｃを適宜中間板（仕切板）Ｄの露出開口Ｄ０１に対し待避した絞り待避位置と露出開口Ｄ０１に対し進入した絞り込み位置との間で駆動するものである。図中、Ｇ０２はコイル枠で、上下２体で構成され、内部に磁石ロータＧ０１を回動自在に軸支し、外側に電導コイルＧ０３を巻廻する凹溝を有し電導コイルＧ０３を巻廻するものである。Ｇ０３は電導コイルで、コイル枠Ｇ０２に巻廻され、駆動電流の供給とその供給方向により磁石ロータＧ０１を適宜回動するものである。Ｇ０４はヨークで、磁石ロータＧ０１を内側に軸支した状態でコイル枠Ｇ０２の外周に電導コイルＧ０３を巻廻した状態でその外周を包み込むよう装着され、磁石ロータＧ０１への外部磁界を遮蔽するものである。このヨークＧ０４は、断面がＣ字形状に一部にスリット状の切り欠きが形成してある。この切り欠き部に磁石ロータＧ０１の着磁極ＮＳを結ぶ線が直交する位置を安定点（中立点）としてロータはこの切り欠き部に回転する力が常に及ぶ。
【００３０】
従って、このヨークＧ０４の切り欠き部の装置電源がオフになったとき絞り羽根部材Ｃを待避位置に保持するよう磁石ロータＧ０１に常時作用する付勢手段を構成し、この付勢手段と前記地板ＦのストッパＦ０８が絞り羽根部材Ｃを退避位置に保持する保持手段を構成している。このことにより、電源がオフになっても常時絞り羽根部材Ｃを確実に絞り待避位置に保持することが可能で、従前のものは電源オンで必ず確認用のトリガー（イニシャライズ動作）を行う必要があったものに対し、その必要が無く制御が容易である。また、付勢手段を断面Ｃ字形状のヨークＧ０４で、絞り羽根駆動手段Ｇが磁石ロータＧ０１を駆動手段とし、その磁石ロータＧ０１に磁気的作用を及ぼす磁性体から構成することにより、係止機構等が不要で単に駆動電流の遮断、電源のオフにより制御が出来、制御が容易である。尚、上記付勢手段が磁気的作用を用いることなく、絞り羽根駆動手段Ｇに常時作用する付勢バネから構成することも可能で、磁気的吸引作用によるものに比べ常時絞り羽根Ｃを確実に絞り待避位置に保持することが可能である。Ｇ１２はマグネットロータＧ０１の作動ピンで、絞り羽根部材Ｃのスリット孔Ｃ０２に嵌合するためのものである。
【００３１】
シャッタ羽根駆動手段Ｈは、シャッタ連結手段Ｓと共にシャッタ羽根部材Ｅを適宜中間板（仕切板）Ｄの露出開口Ｄ０１に対し待避したシャッタ開放位置と露出開口Ｄ０１に対し進入したシャッタ閉鎖位置との間で駆動するものである。図中、Ｈ０２はコイル枠で、上下２体で構成され、内部に磁石ロータＨ０１（図示せず）を回動自在に軸支し、外側に電導コイルＨ０３を巻廻する凹溝を有し電導コイルＨ０３を巻廻するものである。Ｈ０３は電導コイルで、コイル枠Ｈ０２に巻廻され、駆動電流の供給とその供給方向により磁石ロータＨ０１を適宜回動するものである。Ｈ０４はヨークで、電導コイルＨ０３の巻廻方向と平行に平坦部を備えている。
【００３２】
このヨークＨ０４は、断面Ｃ字形状をしていて前述のヨークと同一の構成から同一の作用を得るようになっている。従ってこのヨークの切り欠き部の装置電源がオフになったときにシャッタ羽根部材Ｅを待避位置に保持するような磁石ロータＨ０１に常時作用する付勢手段を構成している。尚、付勢手段が磁気的作用を用いることなく、シャッタ羽根駆動手段Ｈに常時作用する付勢バネから構成することも可能で、磁気的吸引作用によるものに比べ常時シャッタ羽根部材Ｅを確実にシャッタ開放位置に保持することが可能である。Ｈ１２は図３（ｄ）で説明する磁石ロータＨ０１の作動ピンで、シャッタ羽根部材Ｅの作動スリット孔Ｅ０２に嵌合、シャッタ羽根部材Ｅを回転中心孔Ｅ０１を中心に適宜揺動するためのものである。
【００３３】
以上説明したシャッタ羽根部材Ｅとシャッタ羽根駆動手段Ｈとの伝動機構に本発明を採用した場合について説明する。まずシャッタ羽根部材Ｅ（以下単にシャッタ羽根と云う）は前述のように薄い金属板或いはプラスチックフィルムを打ち抜いて適宜形状に形成され、地板Ｆに設けたガイドリブＦ０６上に配置されている。図示のシャッタ羽根Ｅは１枚の羽根部材で構成してあるが、２枚以上適宜枚数を組合わせて構成しても良く、その形状及び構造は公知の種々のものが採用可能である。図示のものはデジタルカメラ等小型かつコンパクトな撮像装置に使用する為に１枚で構成し、この１枚の羽根を高速に動作させて露光開口Ｆ０１を遮蔽及び開放する。従って、複数枚の羽根を同時に開閉する場合に比べ構造が簡単である反面、シャッタ羽根Ｅを高速に移動する必要がある。
【００３４】
一方シャッタ羽根駆動手段Ｈは通常良く知られた電磁モータを用いても良いが、装置を小型且つ安価に構成する為に以下の構成を採用している。前述のように円筒形状の磁石ロータの中心に回転軸を設け、この回転軸を中空のコイル枠に回動自在に軸受支持し、このコイル枠の外周に電導コイルＨ０３を巻回する。そして磁石ロータの磁極とコイルの巻回方向を直交させて、コイルに生起した磁界で磁石ロータを回転する。
【００３５】
図３（ｄ）に示すように、シャッタ羽根駆動手段Ｈは例えば以下の構造の駆動装置を採用する。シャッタ羽根駆動手段Ｈは磁石ロータＨ０１をコイル枠Ｈ０２内に回動自在に収納し、このコイル枠Ｈ０２の外周に電導コイルＨ０３を巻回し、外筺をヨークＨ０４で覆って構成する。磁石ロータＨ０１はＮ−Ｓ２極に着磁した円筒形状の永久磁石に回転軸Ｈ０６を貫通一体化し、この回転軸Ｈ０６と一体に第１の伝動部材Ｈ１１（以下第１伝動レバーと云う）を設ける。図示のコイル枠Ｈ０２は図示しないが回転軸Ｈ０６と直交する方向に上下２分割して合成樹脂のモールド成形で形成し、内部には磁石ロータＨ０１の収納部と回転軸Ｈ０６の軸受孔を形成する。そしてこの上下に分割されたコイル枠Ｈ０２内に磁石ロータＨ０１を、回転軸Ｈ０６を中心に回動自在に収納する。磁石ロータＨ０１には回転軸Ｈ０６と一体に形成した第１伝動レバーＨ１１を設け、ロータの回転を外部に出力するように構成する。
【００３６】
従って、この第１伝動レバーＨ１１はアーム状のレバー部材で構成され、コイル枠Ｈ０２とヨークＨ０４に形成した切欠き開口からヨークＨ０４の外部に突出し、その揺動運動を羽根に伝達することとなる。そして、この第１伝動レバーＨ１１の先端には作動ピンＨ１２が設けられている。
【００３７】
そこで電導コイルＨ０３に直流電流を印加し電導コイルに磁界を生起させると、磁石ロータＨ０１は所定方向に所定角度回転し、電導コイルＨ０３に逆方向の電流を印加すると磁石ロータＨ０１は逆方向に回転する。この磁石ロータＨ０１の回転は第１伝動レバーＨ１１を所定角度揺動させる。
【００３８】
尚、この第１伝動レバーＨ１１の回転は後述するようにシャッタ羽根Ｅを回転させることとなるが、この場合に電導コイルＨ０３に正逆方向の電流を印加させることによってシャッタ羽根Ｅを往復動させる場合と、チャージスプリングなどの蓄勢手段を設け電導コイルＨ０３への通電によって第１伝動レバーＨ１１を一方向にのみ揺動させ蓄勢手段の蓄力で復帰させるようにしても良い。図示のものは電導コイルＨ０３に正逆方向の電流を印加する場合を示す。
【００３９】
尚、上述のシャッタ羽根駆動手段Ｈはコイル枠Ｈ０２にシャッタ羽根Ｅを組込んだ基板Ｆにビス或いは弾性を利用して基板Ｆに形成した固定孔に嵌合係止して取付けられている。
そこで基板Ｆには前述のようにシャッタ羽根Ｅが露光開口Ｆ０１の周囲に形成したガイドリブＦ０６に支持され、中間板（仕切板）Ｄ（絞り羽根を必要としない装置構成の場合は押さえ板）で支持され、基板Ｆのガイド面と中間板（仕切板）Ｄ（若しくは押さえ板）との間にシャッタ羽根Ｅは保持される。
【００４０】
基板Ｆには次の構成の第２の伝動部材Ｓ（以下第２伝動レバーという）が設けられる。
この第２の伝動部材Ｓは基板Ｆのシャッタ羽根Ｅを配置した表面側図３（ｄ）の上面側か若しくは背面側図３（ｄ）の下面側に配置される。図示のものは基板Ｆの背面側に一体形成したボス状の支軸Ｆ０３に回動自在に取付けられている。この第２伝動レバーＳは第１伝動レバーＨ１１の回転中心である磁石ロータＨ０１の回転軸Ｈ０６と距離を隔てた位置で支軸Ｆ０３に支持され、この支軸Ｆ０３を回転中心に揺動するように構成する。そして第２伝動レバーＳには第１伝動レバーＨ１１の作動ピンＨ１２と係合するスリット孔Ｓ０２が設けてあり、支軸Ｆ０３を介して反対側には第２の作動ピンＳ０３が設けてある。
【００４１】
従って、第１の作動ピンＨ１２が磁石ロータＨ０１によって所定角回転すると第２の作動ピンＳ０３は反対方向に所定角回転するようになっている。そこでシャッタ羽根Ｅを第１及び第２の作動ピンに次のように取付ける。まずシャッタ羽根Ｅに第１の作動ピンＨ１２と第２の作動ピンＳ０３の何れか一方を回動自在に軸承し、他方の作動ピンをシャッタ羽根Ｅに形成したスリット孔Ｅ０２と係合する。するとシャッタ羽根Ｅは軸承した作動ピンを中心に他方の作動ピンから回動する方向の力が伝達され、同時に軸承した作動ピンからは反対方向の回動力が伝達される。
【００４２】
図示のものは第１伝動レバーＨ１１に形成した第１の作動ピンＨ１２とシャッタ羽根Ｅに形成したスリット孔Ｅ０２とを係合させ、第２伝動レバーＳに形成した第２の作動ピンＳ０３とシャッタ羽根Ｅに形成した回転中心孔Ｅ０１とを嵌合してある。従って、前述の磁石ロータＨ０１の回転は第１伝動レバーＨ１１の揺動運動として伝達され、その運動は第１の作動ピンＨ１２からこれと係合するスリット孔Ｅ０２を介してシャッタ羽根Ｅに伝達される。同時に第１の作動ピンＨ１２はスリット孔Ｓ０２を介して第２伝動レバーＳに支軸Ｆ０３を中心とする揺動運動を生起する。
【００４３】
そしてこの第２伝動レバーＳの揺動運動は第２の作動ピンＳ０３を介してシャッタ羽根Ｅに伝達される。そこでシャッタ羽根Ｅの運動を説明すると、シャッタ羽根Ｅは第１の作動ピンＨ１２からスリット孔Ｅ０２を介して伝達される運動と第２の作動ピンＳ０３から回転中心孔Ｅ０１を介して伝達される運動の合成によって開閉動作を行うこととなる。
【００４４】
このシャッタ羽根Ｅの開閉動作を説明すると、図３（ａ）（ｂ）は磁石ロータＨ０１が所定角度α図示反時計方向に回転した時のシャッタ羽根の運動を示し、同図（ａ）は回転中心孔Ｅ０１中心とするシャッタ羽根Ｅの運動を、同図（ｂ）は支軸Ｆ０３を中心とするシャッタ羽根Ｅの運動を示す。
【００４５】
磁石ロータＨ０１の所定角度αの回転でシャッタ羽根Ｅは回転中心孔Ｅ０１を中心に同図（ａ）の２点鎖線状態から実線に移動する。これは第１伝動レバーＨ１１が角度α揺動し、第１の作動ピンＨ１２がスリット孔Ｅ０２を介してシャッタ羽根を角度α揺動させるように運動が伝達される為である。尚、図３（ａ）のＤ０１は露出開口の位置を示し、前記磁石ロータＨ０１の所定角度αはシャッタ羽根Ｅが露出開口Ｄ０１を完全に覆わない状態を示している。前記磁石ロータＨ０１の所定角度αの回転はシャッタ羽根Ｅに上記図３（ａ）の運動をもたらすのと同時に図３（ｂ）の運動を生起している。
【００４６】
つまり磁石ロータＨ０１が所定角度α回転すると、第１伝動レバーＨ１１は第１の作動ピンＨ１２が第２伝動レバーＳのスリット孔Ｓ０２を所定角度α移動する。すると第２伝動レバーＳは支軸Ｆ０３を中心に揺動し、この第２伝動レバーＳに取付けられた第２の作動ピンＳ０３はシャッタ羽根Ｅの回転中心孔Ｅ０１の部位を支軸Ｆ０３を中心に角度γ移動する。この運動は先に説明した図３（ａ）の実線状態のシャッタ羽根（図３（ｂ）に１点鎖線で示す）を図３（ｂ）実線状態に移動する。この図３（ｂ）実線状態でシャッタ羽根Ｅは露出開口Ｄ０１を完全に覆いシャッタ羽根Ｅはクローズ姿勢となる。
【００４７】
従って図３（ａ）（ｂ）に角度βで示すようにシャッタ羽根Ｅを回転中心孔Ｅ０１を基板Ｆに固定し、磁石ロータＨ０１を角度β回転させて、シャッタ羽根Ｅをオープン位置（図３（ａ）２点鎖線）からクローズ位置（図３（ｂ）実線）に移動させる運動と比較すると、シャッタ羽根Ｅの閉鎖速度即ちシャッタスピードはβ／α倍高速となる。
【００４８】
このようにシャッタ羽根Ｅを回転させる際に磁石ロータＨ０１の回転をシャッタ羽根Ｅに直接伝達するのと同時にシャッタ羽根の回転中心を同時に羽根の閉鎖方向に回動移動することによってシャッタ羽根Ｅの振れ角（回動角度）を大きくすることが可能となる。かゝるシャッタ速度の高速化を図３（ｄ）に従って説明すると図示（Ｘ１）は磁石ロータＨ０１の回転軸Ｈ０６の中心線、（Ｘ２）は第１の作動ピンＨ１２の中心線、（Ｘ３）は支軸Ｆ０３の中心線、（Ｘ４）は第２の作動ピンＳ０３の中心線を示す。
【００４９】
そこでシャッタ羽根Ｅの閉鎖（開放も同様）速度を磁石ロータＨ０１の回転速度より高速にする為には磁石ロータＨ０１の回転軸Ｈ０６と第１の作動ピンＨ１２との距離Ｌ１、第１の作動ピンＨ１２と支軸Ｆ０３との距離Ｌ３、支軸Ｆ０３と第２の作動ピンＳ０３との距離Ｌ２との関係が磁石ロータＨ０１の回転軸Ｈ０６と支軸Ｆ０３が異なる位置（Ｌ１≠Ｌ３）でＬ２をＬ３より大きくする必要がある。図示のものはＬ１＞Ｌ３、Ｌ２＞Ｌ３の関係にしてあり、Ｌ２に対しＬ３を大きくすると比例して羽根の運動もより高速となる。
【００５０】
以上説明したシャッタ羽根Ｅと第１及び第２伝動レバーとの係合関係は次のように構成しても良い。第１伝動レバーＨ１１の第１の作動ピンＨ１２とシャッタ羽根Ｅとをピン−スリット結合に代え、第１の作動ピンＨ１２をシャッタ羽根Ｅに形成した回転中心孔Ｅ０１に軸承し、第２の作動ピンＳ０３をシャッタ羽根Ｅに形成したスリット孔Ｅ０２と係合するように構成してもシャッタ羽根の運動軌跡は異なるが前述のものと同様のシャッタ羽根Ｅの高速運動が得られる。
【００５１】
次に、図２に基づいて上述のシャッタ羽根Ｅと絞り羽根部材Ｃ（以下単に絞り羽根と云う）との動作状態（開閉運動）を説明する。図２において（ａ）は、図１の押さえ板Ｂ側から見た中間板（仕切板）Ｄの露出開口Ｄ０１に対する絞り羽根Ｃの動作状態を示すものである。二点鎖線で示す状態は、絞り羽根Ｃが地板Ｆの絞り羽根用ストッパＦ０７に当接し、中間板（仕切板）Ｄの露出開口Ｄ０１から待避した絞り待避位置に有る状態を示している。また、点線で示す状態は、絞り羽根Ｃが地板Ｆの絞り羽根／シャッタ羽根共用ストッパＦ０９に当接し、中間板（仕切板）Ｄの露出開口Ｄ０１に進入した絞り込み位置に有る状態を示している。尚、この絞り込み位置にあっては、絞り羽根駆動手段Ｇの電導コイルＧ０３には当接時の駆動電流と同方向の電流が供給され、絞り羽根駆動手段Ｇの駆動力によりその当接状態が維持され、磁気的な作用による保持に比べ衝撃等に強く、絞り込み状態を確実に保持することで、画像斑が無い。
【００５２】
同図（ｂ）は、図１において、押さえ板Ｂ側から見た中間板（仕切板）Ｄを透視しその中間板（仕切板）Ｄの露出開口Ｄ０１に対するシャッタ羽根Ｅの動作状態を示すものである。二点鎖線で示す状態は、シャッタ羽根Ｅが地板Ｆのシャッタ羽根用ストッパＦ０８に当接し、中間板（仕切板）Ｄの露出開口Ｄ０１から待避したシャッタ開放位置に有る状態を示している。
【００５３】
また、点線で示す状態は、シャッタ羽根Ｅが地板Ｆの絞り羽根／シャッタ羽根共用ストッパＦ０９に当接し、中間板（仕切板）Ｄの露出開口Ｄ０１に進入したシャッタ閉鎖位置に有る状態を示している。尚、このシャッタ閉鎖位置にあっては、シャッタ羽根駆動手段Ｈの電導コイルＨ０３には当接時の駆動電流と同方向の電流が供給され、シャッタ羽根駆動手段Ｈの駆動力によりその当接状態が維持され、磁気的な作用による保持に比べ衝撃等に強く、シャッタ閉鎖状態を確実に保持することで、露光ミスが無い。
【００５４】
また、点線で示すように二重に示めされる様、シャッタ羽根Ｅはシャッタ閉鎖位置に至る間に回動と同時にシャッタ羽根Ｅの回転中心孔Ｅ０１が第２伝動レバーＳの支軸Ｓ０３の遥動により反時計方向に変位し、その変位量に応じて高速に閉鎖動作を行なう。このシャッタ羽根Ｅの高速な閉鎖動作を図３で説明するに、図は説明のために閉鎖動作を２つの主要動作に分け図示したもので、実際には図中（ａ）動作と（ｂ）動作は同時に動作するものである。
【００５５】
まず、図中（ａ）動作は、シャッタ羽根Ｅがオープン位置からシャッタ羽根駆動手段Ｈの作動ピンＨ１２（第１の作動ピン）の駆動により、第２伝動レバーＳの支軸Ｓ０３（第２の作動ピン）を中心に振れ角αだけ回動した状態を示している。尚、振れ角βは従前の光量調節装置のシャッタ羽根がクローズ位置に達し得るための振れ角を示す。
【００５６】
この（ａ）動作位置の状態で、（ｂ）動作で示す様に第２伝動レバーＳの支軸Ｓ０３（第２の作動ピン）をシャッタ羽根駆動手段Ｈの作動ピンＨ１２（第１の作動ピン）を中心に振れ角γだけ第１の作動ピンＨ１２が振れ角αだけ回動すると同時に反時計方向に変位することによって、図示の様にシャッタ羽根Ｅが中間板（仕切板）Ｄの露出開口Ｄ０１を閉鎖することで、実質振れ角β分振れたと同様な状態となる。
【００５７】
すなわち、シャッタ羽根駆動手段Ｈの作動ピンＨ１２（第１の作動ピン）はシャッタ羽根Ｅが中間板（仕切板）Ｄの露出開口Ｄ０１を閉鎖するために振れ角αだけ回動すればよく、振れ角β分回動するに要する時間が振れ角α分回動するに要する時間で済むこととなり、高速な閉鎖動作を得ることが出来る。
【００５８】
以上説明した光量調節装置は、カメラ装置のレンズ鏡筒に組込まれ撮像装置を構成し例えば図４に示すように結像レンズを構成する前レンズＡと後レンズＩとの間に組込まれ次のように制御される。図４は概念ブロック図であり、Ｅはシャッタ羽根部材を、Ｃは絞り羽根部材を、Ｇは絞り羽根駆動手段、Ｈはシャッタ羽根駆動手段を、ＪはＣＣＤなどの固体撮像素子を示している。
【００５９】
そして光量調節装置はデジタルカメラ、ビデオカメラ等のレンズ鏡筒に組込まれ、被写体からの光が固体撮像素子Ｊに至る撮像光路の光量を遮断するシャッタ或いは光量を大小調節する絞り等の光量調節を行う。図４はその撮像装置の概略を示し、Ａは撮像レンズの前レンズであり、Ｉは後レンズを示している。通常複数のレンズアレイから構成される撮像レンズは焦点位置調節の為撮像光路（以下光路という）に沿って移動自在に鏡筒（図示せず）に組込まれその可動レンズには駆動モータが連結されている。その構造は広く知られているので省略する。
【００６０】
このフォーカシング機構のモータにはフォーカシングモータ駆動回路ＦＭが接続されている。撮像レンズの結像面には固体撮像素子Ｊが配置され、この固体撮像素子Ｊは解像度に応じた画像数の光電変換素子が配列され、結像された被写体像を電気的に変換する。例えばＣＣＤとして知られるディバイスは光によって電荷を生起するチャージ層とこのチャージ層の電荷を外部に転送するトランスファー層とから構成され、トランスファー層にはＣＣＤ制御回路Ｊ０１が結線されている。このＣＣＤ制御回路Ｊ０１はトランスファー層からの電荷を蓄積するバッファーメモリと、増幅回路と、Ａ／Ｄ変換回路とが組込まれ、基準クロックからの信号に応じて各画素の電荷をトランスファー層からバッファーメモリに転送する。前述の光量調節装置はユニット化され前レンズＡと後レンズＩとの間に組込まれ、シャッタ羽根駆動手段（駆動メータ）Ｈにはシャッタ駆動回路ＳＨが絞り羽根駆動手段（駆動メータ）Ｇには絞り駆動回路ＩＲが設けられている。これ等の制御回路はカメラ装置全体を制御するＣＰＵ１００に連結されＣＰＵ１００で各動作が制御される。ＣＰＵ１００にはレリーズスイッチＳＷ２と電源スイッチＳＷ１の信号が伝達されるように結線されている。
【００６１】
そこで、図５に基づいてその動作を説明する。
まず、カメラの電源スイッチがＯＮ操作（ＳＴ０１）されるとＣＰＵ１００は各駆動構成部に電源を供給する。例えば液晶などの表示画面を備えたカメラにあっては液晶のバックライトが点灯し表示可能となり、固体撮像素子Ｊも生起した電荷を画像処理回路に転送し表示画面に送る。この時光量調節装置のシャッタ羽根部材Ｅ及び絞り羽根部材Ｃはその駆動手段Ｈ、Ｇの電導コイルＨ０３、Ｇ０３に電源が供給されていない。（電源スイッチＳＷ１がＯＦＦのときと同一の状態）。この状態でシャッタ羽根部材Ｅはオープン位置に、絞り羽根部材Ｃは退避位置に位置し被写体からの光量は固体撮像素子Ｊに結像され表示画面に表示される。
【００６２】
この装置電源操作（ＳＴ０１）と同時に表示画面に複写体像が表示されモニタ（ＳＴ０２）が実行される。次いで使用者がこのモニタに表示された状態で撮影（動画撮影モード）するか静止画状態で撮影（スチール撮影モード）するかモード選択スイッチを操作する（ＳＴ０３）。スチール撮影モード（一駒撮影モードと云う）が選択されると、使用者はモニタ表示で或いはファインダーから被写体を確認しレリーズ操作を実行する。このレリーズ操作を行わず電源スイッチＳＷ０１をＯＦＦすると全ての操作が終了し電源供給が断たれ撮影終了となる（ＳＴ０４）。レリーズ操作はまずシャッタ釦を半押状態に操作する（ＳＴ０５）。するとその信号でＣＰＵ１００はモータＦＭを駆動しフォーカシング動作を実行しピント調節を行う。同時にＣＰＵ１００はＣＣＤの受光量から適正露光量を演算し絞り羽根を使用するか否かを決定する。シャッタ釦が全押状態に操作される（ＳＴ０６）
【００６３】
そうするとＣＰＵ１００は絞り羽根を使用（小絞り撮影）する場合は絞り駆動回路ＩＲに電導コイルＧ０３に電源供給する指示信号を発する。この信号を受けて絞り駆動回路ＩＲは電導コイルＧ０３に所定の電流を供給し、電導コイルＧ０３に生起した磁界でロータは回転する。このロータの回転で作動ピンＧ１２は絞り羽根部材Ｃを図３時計方向に回転し二点鎖線の状態から一点鎖線位置へ移動しストッパ（絞り羽根規制手段）Ｆ０９に突き当たり、電導コイルＧ０３に所定電流が供給される間絞り羽根部材Ｃはこの状態に維持される（ＳＴ０７）。
【００６４】
この絞り羽根Ｃの動作の見込み時間の後ＣＰＵ１００はＣＣＤ制御回路Ｊ０１にリセット信号を発する。このリセット信号でＣＣＤ制御回路Ｊ０１はバッファーメモリに貯えられた画像データを無効としてリセットする（ＳＴ０８）。このリセット完了で露光が開始され被写体からの光はＣＣＤのチャージ層で光電変換される。
【００６５】
ＣＰＵ１００は演算によって得た所定の時間（露出時間）が経過するとシャッタ駆動回路ＳＨにシャッタ閉鎖の指示信号を発する。シャッタ駆動回路ＳＨはこの信号を得てシャッタ駆動手段（駆動メータ）Ｈの電導コイルＨ０３に所定電流を通電する。この電流の供給で電導コイルＨ０３に生起した電流はロータを図３（ｂ）で反時計方向に回転しシャッタ羽根部材Ｅを二点鎖線で示すオープン位置から点線で示すクローズ位置に移動する。この羽根の移動で被写体からの光は完全に閉じられ、ＣＣＤの露光が終了する（ＳＴ０９）。
【００６６】
シャッタ駆動回路ＳＨは羽根がクローズ位置に移動した後も電導コイルＨ０３に所定の電流を通電し続け電導コイルＨ０３の生起磁界は、ロータを反時計方向に回転する力を付与する。従ってシャッタ羽根部材Ｅはストッパ（シャッタ羽根規制手段）Ｆ０９に突き当たって静止した状態を維持する（ＳＴ１０）。
【００６７】
この時外部から衝撃など外力が及んでも羽根はクローズ位置に保持されることとなる。
次いでＣＰＵ１００はＣＣＤ制御回路Ｊ０１に露出終了の信号を発しＣＣＤのチャージ層に帯電した電荷をトランスファー層を介して画像処理回路に転送する。このデータの転送はＣＣＤの各画素の電荷は順次Ｘ・Ｙ方向に走査信号に従って行われ、その制御はＣＣＤ制御回路Ｊ０１の基準クロックに基づいて行われる。従ってＣＣＤおよび制御回路の特性によってデータ転送時間が定められる。
【００６８】
そこでＣＰＵ１００はこのデータ転送時間に基づいて予め設定した時間（少なくともデータ転送時間より長い時間）電導コイルＨ０３に所定電流を供給する。するとシャッタ羽根部材Ｅは図３（Ｄ）の点線状態（クローズ位置）に保持され、データ転送過程で外部の光がＣＣＤに到達することがない（ＳＴ１１）。
【００６９】
次に、ＣＰＵ１００は所定の設定時間が経過すると絞り駆動回路ＩＲとシャッタ駆動回路ＳＨに動作終了信号を発する。この信号で絞り駆動回路ＩＲは電導コイルに逆方向の電流を供給し、絞り羽根部材Ｃを図３（ａ）の点線（作動位置）から二点鎖線（退避位置）に移動する（ＳＴ１２）。この動作の後電流の供給を断つ。するとシャッタ羽根部材Ｅは駆動手段のロータがヨークに形成されたカット（スリット）部に永久磁石の磁力で吸引されストッパＦ０８に突き当たって静止する（ＳＴ１３）。
【００７０】
同様にシャッタ駆動回路ＳＨは電導コイルＨ０３に逆方向の電流を供給し、シャッタ羽根部材Ｅを図３（ｂ）の点線クローズ位置から二点鎖線のオープン位置に移動する（ＳＴ１４）。この状態で電導コイルＨ０３への通電を断つと、シャッタ羽根駆動手段ＨのロータはヨークＨ０４に形成したスリット部に吸引されシャッタ羽根部材ＥはストッパＦ０７に突き当たった状態でオープン位置に保持される。かかる動作で光量調節装置は初期状態となり次の撮影動作に備える。
【００７１】
尚、以上の説明において、シャッタ連結手段Ｓ（第２伝動レバー）は地板Ｆとシャッタ羽根駆動手段Ｈとの間で地板Ｆに揺動可能に軸支したが、シャッタ羽根部材Ｅと地板Ｆの間に充分なスペースが確保できれば、シャッタ連結手段Ｓ（第２伝動レバー）をシャッタ羽根部材Ｅと地板Ｆの間に介在させることも出来る。
【００７２】
また、シャッタ連結手段Ｓ（第２伝動レバー）とシャッタ羽根部材Ｅは同時にシャッタ羽根駆動手段Ｈの作動ピンＨ１２により揺動されるように成っているが、シャッタ羽根駆動手段Ｈの起動時の作動負荷を軽減するために、シャッタ連結手段Ｓ（第２伝動レバー）のスリットＳ０２のスリット形状を適宜換えることで、シャッタ羽根駆動手段Ｈの起動時はシャッタ羽根部材Ｅのみが揺動し、ある程度シャッタ羽根駆動手段Ｈの回転が加速した時点でシャッタ連結手段Ｓ（第２伝動レバー）を揺動させることでも同様の動作をえることが出来、しかも円滑な作動が得られる。
【図面の簡単な説明】
【００７３】
【図１】本発明を実施した光量調節装置の一形態を示す組立分解斜視図。
【図２】図１の光量調節装置の羽根部材の動作状態を示し、同（ａ）は絞り羽根の動作状態を、同（ｂ）はシャッタ羽根の動作状態の説明図。
【図３】図１の光量調節装置におけるシャッタ羽根の開閉構造を示し、同（ａ）、（ｂ）は開状態から閉状態に移行する動作状態説明図であり、同（ｃ）、（ｄ）はシャッタ羽根と駆動装置との連結構造を示し、（ｃ）は平面図（ｄ）は縦断面図である。
【図４】図１の光量調節装置を組み込んだ撮像装置の構造及び制御を示すブロック図
【図５】図４の撮像装置における一駒撮影時の動作フローの説明図。
【図６】従来技術の一例の光量調節装置を示す概略説明図。
【図７】従来技術の図６と異なる光量調節装置を示す概略説明図。
【符号の説明】
【００７４】
Ａ  前レンズ
Ｂ  押さえ板
Ｃ  絞り羽根部材
Ｄ  中間板（仕切板）
Ｄ０１  露出開口
Ｅ  シャッタ羽根部材
Ｆ  地板（装置基板）
Ｆ０２  絞り羽根支軸
Ｆ０３  シャッタ連結手段支軸
Ｇ  絞り羽根駆動手段
Ｇ０１  磁石ロータ
Ｇ０２  コイル枠
Ｇ０３  電導コイル
Ｇ０４  ヨーク
Ｇ１２  作動ピン
Ｈ  シャッタ羽根駆動手段
Ｈ０１  磁石ロータ
Ｈ０２  コイル枠
Ｈ０３  電導コイル
Ｈ０４  ヨーク
Ｈ１１  第１伝動レバーＨ１１
Ｈ１２  作動ピン（第１の作動ピン）
Ｉ  後レンズ
Ｊ  ＣＣＤ等の固体撮像素子
Ｓ  シャッタ連結手段（第２伝動レバー）
Ｓ０３  支軸（第２の作動ピン）
１００  ＣＰＵ
【図１】
2005316273.tif 000003
【図２】
2005316273.tif 000004
【図３】
2005316273.tif 000005
【図４】
2005316273.tif 000006
【図５】
2005316273.tif 000007
【図６】
2005316273.tif 000008
【図７】
2005316273.tif 000009